(57)【要約】【課題】  監視制御の変更処理や監視対象の遊技機の増設に手間のかからない遊技機監視システムを提供する。【解決手段】    パチンコ機１には、主基板ボックスに監視タグ８６１、機枠に監視タグ８６２、前面枠に監視タグ８６３、大入賞口に監視タグ８６４が設置されている。そして、主基板ボックス用Ｒ／Ｗユニット３０１の監視アンテナ６８１は主基板ボックス８１の監視タグ８６１と通信可能な位置に設置され、主基板ボックスを監視する。枠用Ｒ／Ｗユニット３０２の監視アンテナ６８２は機枠の監視タグ８６２と通信可能な位置、監視アンテナ６８３は前面枠の監視タグ８６３と通信可能な位置に設置され、枠の不正開放を監視する。大入賞口用Ｒ／Ｗユニット３０３の監視アンテナ６８４は、大入賞口の監視タグ８６４と通信可能な位置に設置され、大入賞口の不正開放を監視する。【選択図】  図３
2006122414.tif 000002
【特許請求の範囲】
【請求項１】
他のＩＣタグと区別するための識別情報を記憶したＩＣタグが所定の部材に設置された複数の遊技機と、前記ＩＣタグと通信を行い前記遊技機の所定の部材の監視を行う監視制御装置とからなる遊技機監視システムにおいて、
前記監視制御装置は、
前記ＩＣタグと通信する複数のアンテナと、
前記アンテナから前記ＩＣタグを呼び出す呼出波を送信する呼出波送信手段と、
当該呼出波送信手段から送信された前記呼出波に基づいて前記ＩＣタグから返送される反射波を前記アンテナで受信する反射波受信手段と、
前記ＩＣタグとの通信による前記遊技機の所定の部材の監視の結果を外部へ出力する監視結果出力手段とを備え、
前記アンテナは異なる前記遊技機の同じ種類の部材に設置されている前記ＩＣタグと通信可能な位置に各々設置され、異なる前記遊技機の同じ種類の部材の監視を行うことを特徴とする遊技機監視システム。
【請求項２】
前記遊技機において前記ＩＣタグが設置されて監視される前記部材の種類は複数存在し、複数の前記監視制御装置により監視が行われることを特徴とする請求項１に記載の遊技機監視システム。
【発明の詳細な説明】
【技術分野】
【０００１】
本発明は遊技機監視システムに関し、詳細には、監視制御装置ごとに監視場所を決め、複数の遊技機を監視する遊技機監視システムに関する。
【背景技術】
【０００２】
従来、遊技機においては、遊技者が不当に遊技媒体を獲得する不正行為が後を絶たず、種々の防止策が施されている。例えば、遊技機の制御を司る制御基板や内蔵ＲＯＭを不正なものに交換して遊技状況を有利にする不正行為に対しては、制御基板を収納する基板ボックスに様々な工夫が施されている。また、遊技機の一種であるパチンコ機においては、遊技領域を覆う前面扉の隙間からセルロイド板等の薄い板を挿入して多数の遊技媒体を取得可能な入賞口を不当に開放し、その間に遊技媒体をその入賞口へ入賞させるという不正行為もあり、前面扉からの不正部材の挿入を防止するための様々な工夫が施されている。
【０００３】
そこで、本出願人は、ＩＣタグを用いて遊技機に対する不正行為を監視するシステムを提案している（例えば、特許文献１参照）。このような監視システムにおいては、遊技機の所定の位置にＩＣタグが貼り付けられ、ＩＣタグ監視装置によりこれらのＩＣタグを呼び出す呼出波が送信され、予め登録されている識別データのＩＣタグから呼出波に対する反射波が返送された場合には、監視されている部材が正常であるとされ、反射波が返送されなかったり、予め登録されていない識別データのＩＣタグからの反射波を受信したりした場合には、監視場所に異常があるとして異常を示す情報がＩＣタグ監視装置に記憶されている。そして、特許文献１では異常が発生した際に遊技場内に設けられた管理機により異常を報知している。
【特許文献１】特開２００４−０６５８０１号公報
【発明の開示】
【発明が解決しようとする課題】
【０００４】
しかしながら、監視場所により夜間の監視の要・不要、監視頻度等の制御が異なっているため、すべての監視場所について１台の監視制御装置で監視を行う場合、ある監視場所についての制御に変更があり、プログラムの変更等のアップデート処理を行う必要があれば、すべての監視制御装置について処理を行わなければならず、手間がかかるという問題点がある。また、１台の監視制御装置で監視を行っているため、監視対象とする遊技機を増やす場合には、それに伴い監視制御装置も増設する必要があり、初期投資が嵩むという問題点がある。
【０００５】
本発明は、上述の問題点を解決するためになされたものであり、監視制御の変更処理や監視対象の遊技機の増設に手間のかからない遊技機監視システムを提供しようとするものである。
【課題を解決するための手段】
【０００６】
上記課題を解決するため、請求項１に係る発明の遊技機監視システムでは、他のＩＣタグと区別するための識別情報を記憶したＩＣタグが所定の部材に設置された複数の遊技機と、前記ＩＣタグと通信を行い前記遊技機の所定の部材の監視を行う監視制御装置とからなる遊技機監視システムにおいて、前記監視制御装置は、前記ＩＣタグと通信する複数のアンテナと、前記アンテナから前記ＩＣタグを呼び出す呼出波を送信する呼出波送信手段と、当該呼出波送信手段から送信された前記呼出波に基づいて前記ＩＣタグから返送される反射波を前記アンテナで受信する反射波受信手段と、前記ＩＣタグとの通信による前記遊技機の所定の部材の監視の結果を外部へ出力する監視結果出力手段とを備え、前記アンテナは異なる前記遊技機の同じ種類の部材に設置されている前記ＩＣタグと通信可能な位置に各々設置され、異なる前記遊技機の同じ種類の部材の監視を行うことを特徴とする構成となっている。
【０００７】
また、請求項２に係る発明の遊技機監視システムでは、請求項１に記載の発明の構成に加えて、前記遊技機において前記ＩＣタグが設置されて監視される前記部材の種類は複数存在し、複数の前記監視制御装置により監視が行われることを特徴とする構成となっている。
【発明の効果】
【０００８】
請求項１に係る発明の遊技機監視システムでは、監視制御装置の呼出波送信手段は、アンテナからＩＣタグを呼び出す呼出波を送信することができ、反射波受信手段は、呼出波送信手段から送信された呼出波に基づいてＩＣタグから返送される反射波をアンテナで受信することができる。そして、監視結果出力手段は前記ＩＣタグとの通信による前記遊技機の所定の部材の監視の結果を外部へ出力することができる。そして、複数のアンテナは異なる遊技機の同じ種類の部材に設置されているＩＣタグと通信可能な位置に各々設置され、異なる遊技機の同じ種類の部材の監視を行うことができるので、監視制御装置ごとに、監視される部材の特性に合わせた監視制御を行わせたり、監視される部材の特性に合わせた部品を備えたりすることができる。また、ある監視場所について監視制御の変更がある場合には、全ての監視制御装置に変更処理を行う必要はなく、その監視場所の監視を行う監視制御装置のみ変更処理を行えばよい。また、１台の遊技機を１台の監視制御装置で監視している場合には、監視対象の遊技機を増やす場合に監視制御装置も１台増やさなければならないが、空きのアンテナがあればそれを利用すればよいので、遊技機の増設に対するコストが軽減できる。
【０００９】
また、請求項２に係る発明の遊技機監視システムでは、請求項１に記載の発明の効果に加えて、遊技機においてＩＣタグが設置されて監視される部材の種類は複数存在しているので、複数の監視制御装置により、複数の部材の監視を行うことができる。
【発明を実施するための最良の形態】
【００１０】
以下、本発明の一実施の形態について図面を参照して以下の順で説明する。
１．システム構成の概要説明
２．パチンコ機及びＲ／Ｗユニットの説明
３．Ｒ／Ｗユニットの動作の説明
４．変形例の説明
【００１１】
１．システム構成の概要説明
図１は、本実施の形態の遊技機監視システムの構成図であり、図２は本実施の形態の遊技機監視システムを導入した遊技場の外観を示す説明図であり、図３はＲ／Ｗユニット３０１，３０２，３０３の電気的構成及びパチンコ機１の監視タグ８６１〜８６４を示すブロック図である。図１及び図２に示すように、遊技場の遊技機設置島２００には、複数のパチンコ機１（「遊技機」に該当）が設置されており、さらに、各遊技機設置島２００には１台ずつ島管理端末１００が設置されている。また、遊技機設置島２００には、複数のリーダライタユニット（以下、Ｒ／Ｗユニットと称する）が設置されている。このＲ／Ｗユニットは、パチンコ機１の部材の監視を行う「監視制御装置」に該当し、本実施の形態では、主基板ボックス用Ｒ／Ｗユニット３０１，枠用Ｒ／Ｗユニット３０２，大入賞口用Ｒ／Ｗユニット３０３の３種類のＲ／Ｗユニットが夫々複数設けられている。そして、夫々のＲ／Ｗユニット３０１，３０２，３０３には複数のパチンコ機１（例えば、本実施の形態では６台とする。）が接続されており、各Ｒ／Ｗユニット３０１，３０２，３０３はそれらのパチンコ機１の所定の部材の監視を行っている。
【００１２】
本実施の形態では、主基板ボックス用Ｒ／Ｗユニット３０１は接続しているパチンコ機１の主基板ボックス８１（図５参照）の監視を行い、枠用Ｒ／Ｗユニット３０２は接続しているパチンコ機１の機枠１１２，本体枠１１０，前面枠１１１（図４参照）の監視を行い、大入賞口用Ｒ／Ｗユニット３０３は接続しているパチンコ機１の大入賞口１６（図４参照）の監視を行っている。尚、Ｒ／Ｗユニット３０１，３０２，３０３の電源は、パチンコ機１の電源基板からではなく遊技機設置島２００の電源装置（図示外）から供給されている。
【００１３】
また、図３に示すように、パチンコ機１には、監視を行う場所に「ＩＣタグ」である監視タグ８６１、８６２，８６３，８６４が備えられている。本実施の形態では、主基板ボックス８１に監視タグ８６１、機枠１１２に監視タグ８６２、前面枠１１１に監視タグ８６３、大入賞口１６に監視タグ８６４が設置されている。そして、Ｒ／Ｗユニット３０１は、主基板ボックス８１を監視するためのＲ／Ｗユニットであり、Ｒ／Ｗユニット３０２は本体枠１１０と機枠１１２、前面枠１１１と本体枠１１０を監視するためのＲ／Ｗユニットであり、Ｒ／Ｗユニット３０３は大入賞口１６を監視するためのＲ／Ｗユニットである。そこで、主基板ボックス用Ｒ／Ｗユニット３０１の６つの監視アンテナ６８１は、６台のパチンコ機１の主基板ボックス８１に設置されている監視タグ８６１と通信可能な位置にそれぞれ設置され、監視タグ８６１と通信を行えるか否かにより主基板ボックス８１が正常に設置されているか否かの監視が行われている。さらに、枠用Ｒ／Ｗユニット３０２の６つの監視アンテナ６８２及び６つの監視アンテナ６８３が、６台のパチンコ機１に夫々設置され、監視アンテナ６８２は機枠１１２の監視タグ８６２と通信可能な位置、監視アンテナ６８３は前面枠１１１の監視タグ８６３と通信可能な位置に設置され、監視タグ８６２，８６３と通信を行えるか否かにより、本体枠１１０と機枠１１２、前面枠１１１と本体枠１１０とが開放されていないかの監視が行われている。さらに、大入賞口用Ｒ／Ｗユニット３０３の６つの監視アンテナ６８４は、６台のパチンコ機１の大入賞口１６に設置されている監視タグ８６４と通信可能な位置に夫々設置され、監視タグ８６４と通信を行えるか否かにより大入賞口１６が不正に開放されていないかの監視が行われている。尚、監視タグ８６１〜８６４、監視アンテナ６８１〜６８４具体的な設置場所については図３乃至図５を参照して後述する。
【００１４】
そして、Ｒ／Ｗユニット３０１，３０２，３０３による監視の結果、異常が発生したり、異常が回復したりした場合には、その情報が「監視情報」として各Ｒ／Ｗユニット３０１，３０２，３０３のＲＡＭ３４、ＥＥＰＲＯＭ３５に記録される。そしてこの監視情報は、島管理端末１００及びホールコンピュータ３００に送信され、島管理端末１００では異常の発生が報知される。また、ホールコンピュータ３００では異常の発生や回復が報知されると共に、監視情報が蓄積される。
【００１５】
２．パチンコ機及びＲ／Ｗユニットの説明
次に、図３乃至図５を参照してパチンコ機１及びＲ／Ｗユニット３０１，３０２，３０３について説明する。図４はパチンコ機１の前面枠１１１及び本体枠１１０を開いた状態をパチンコ機１の前面から見た斜視図であり、図５はパチンコ機１の背面図である。
【００１６】
図４に示すように、パチンコ機１は、機枠１１２と、本体枠１１０と、前面枠１１１とから構成されている。機枠１１２は、パチンコ機１を遊技機設置島２００に固定するためのものである。また、本体枠１１０には、パチンコ機１の制御を司る種々の基板、図示外の発射機に遊技球を供給し、かつ、賞品球を受ける上皿５、賞品球を受ける下皿６、遊技球を発射するための発射ハンドル７、音声を発するスピーカー４８から成る本体１１３及び遊技盤２がはめ込まれている。種々の基板は、本体枠１１０の背面に備えられている。また、略正方形の遊技盤２は、本体１１３の正面の上半分の部分に設けられ、遊技盤２の下方部には上皿５が設けられ、上皿５の直下には下皿６が設けられ、下皿６の右横には発射ハンドル７が設けられ、上皿５と下皿６の間にはスピーカー４８が設けられている。そして、前面枠１１１は、透明なガラス板１１１ａを保持し、遊技盤２を保護のため覆っている。また、遊技盤２には、ガイドレール３で囲まれた略円形の遊技領域４が設けられていおり、発射ハンドル７を操作することにより発射された遊技球がガイドレール３に導かれて、遊技領域４へ侵入し、流下する。尚、遊技領域４の下部には、大入賞口１６が設けられ、さらに、種々の入賞口、電飾ランプ、風車、障害釘及び図柄表示装置等が設けられている。
【００１７】
また、図５に示すように、パチンコ機１の左下部背面には、パチンコ機１の主制御を司る主基板４１を収納した透明な樹脂製の主基板ボックス８１が設けられ、主基板ボックス８１の右隣には音基板４３が、音基板４３の右隣上方には電源基板４２がそれぞれ透明な樹脂製のボックスに収められ、その下方には払出制御基板４５が透明な樹脂製の払出制御基板ボックス８２に収められて配置されている。さらに、主基板ボックス８１の上方には、遊技盤の裏面を保護し、各種配線を覆うセンターカバー８０が配置されている。
【００１８】
次に、図３を参照して、Ｒ／Ｗユニット３０１，３０２，３０３の主な構成要素の電気的構成について説明する。主基板ボックス用Ｒ／Ｗユニット３０１と枠用Ｒ／Ｗユニット３０２とは同様の構成をしており、大入賞口用Ｒ／Ｗユニット３０３は主基板ボックス用Ｒ／Ｗユニット３０１，３０２と同様の構成に加えて、パチンコ機１からの信号を受信するためのケーブルを接続するための入力ポート３１が設けられている。そこで、Ｒ／Ｗユニット３０１，３０２，３０３の構成要素については、同一の符号を用いて説明するが、監視アンテナについてはその設置場所により符号を区別する。
【００１９】
Ｒ／Ｗユニット３０１，３０２，３０３には、Ｒ／Ｗユニットの制御を司るＣＰＵ３２が設けられている。ＣＰＵ３２はフラグやデータ等を一時的に記憶するＲＡＭ３４、制御プログラム及び各種の初期値のデータ等を記憶したＲＯＭ３３が内蔵されている。そして、ＣＰＵ３２には、監視情報等を記憶するＥＥＰＲＯＭ３５、監視タグへ呼出波を送信し、反射波を受信するためのＲａｄｉｏ  Ｆｒｅｑｕｅｎｃｙ回路（以下、ＲＦ回路と称する）３８、時間管理を行うＲＴＣ３９、Ｉ／Ｏインタフェイス３７が接続している。Ｉ／Ｏインタフェイス３７には、店内ネットワーク１５０に接続する通信回路３６が接続されている。さらに、ＲＦ回路３８には監視タグと通信するための監視アンテナ６８１〜６８４が接続されている。
【００２０】
尚、本実施の形態では、パチンコ機１に４つの監視タグ８６１〜８６４が設置されている。主基板ボックス８１（第１監視場所）、本体枠１１０と機枠１１２（第２監視場所）、前面枠１１１と本体枠１１０（第３監視場所）、大入賞口１６（第４監視場所）の４箇所（図３及び図４参照）である。そして、第１監視場所である主基板ボックス８１を監視するために監視タグ８６１が使用され、第２監視場所である本体枠１１０と機枠１１２を監視するために監視タグ８６２が使用され、第３監視場所である前面枠１１１と本体枠１１０を監視するために監視タグ８６３が使用され、第４監視場所である大入賞口１６を監視するために監視タグ８６４が使用される。
【００２１】
そこで、主基板ボックス用Ｒ／Ｗユニット３０１は、複数の監視アンテナ６８１（本実施の形態では６個とする）を備えており、６台のパチンコ機１の主基板ボックス８１（第１監視場所）の監視タグ８６１と通信可能な位置に夫々設置される（図５参照）。また、枠用Ｒ／Ｗユニット３０２は、複数の監視アンテナ６８２及び監視アンテナ６８３（本実施の形態では夫々６個とする）を備えており、本体枠１１０と機枠１１２（第２監視場所）、及び、前面枠１１１と本体枠１１０（第３監視場所）を監視する。そこで、６台のパチンコ機１の本体枠１１０で、監視タグ８６２と通信可能な位置に監視アンテナ６８２、監視タグ８６３と通信可能な位置に監視アンテナ６８３が夫々設置される（図４参照）。つまり、枠用Ｒ／Ｗユニット３０２は１２個の監視アンテナを備えている。また、大入賞口用Ｒ／Ｗユニット３０３は、複数の監視アンテナ６８４（本実施の形態では６個とする）を備えており、６台のパチンコ機１の大入賞口１６（第４監視場所）の監視タグ８６４と通信可能な位置にそれぞれ設置されている。
【００２２】
まず、図５を参照して、第１監視場所の監視タグ８６１、監視アンテナ６８１について説明する。図５に示すように、主基板ボックス８１の図３における正面視右下の内面には監視タグ８６１が貼り付けられている。尚、主基板ボックス８１は、透明な樹脂製の平面視略長方形の上蓋部と、同じく透明な樹脂製の平面視略長方形の下蓋部とから構成されおり、上蓋部に対向する下蓋部上にパチンコ機１の主制御を司る主基板４１が配置されている。そして、上蓋部の裏面側に小型で長方形の監視タグ８６１が接着剤等で接着されている。さらに、主基板４１の右下端に切り欠きが設けられて、下蓋部の切り欠きに対向する位置にコイル状の監視アンテナ６８１（図５では図示外）が設けられている。したがって、主基板ボックス８１が開けられた場合には、監視タグ８６１は監視アンテナ６８１と通信不能となるので、主基板ボックス用Ｒ／Ｗユニット３０１において主基板ボックス８１の開放を検知することができる。
【００２３】
次に、図４を参照して、第２監視場所の監視タグ８６２、監視アンテナ６８２について説明する。図４に示すように、機枠１１２の図４における右枠の内側中央には、監視タグ８６２が貼り付けられいる。そして、本体１１３の右側面中央（本体枠１１０と機枠１１２とが閉じられた際に監視タグ８６２と向き合う位置）には、枠用Ｒ／Ｗユニット３０２の監視アンテナ６８２が備えられている。したがって、パチンコ機１の本体枠１１０が機枠１１２から開放された際には、監視タグ８６２は監視アンテナ６８２と通信不能となるので、枠用Ｒ／Ｗユニット３０２においてパチンコ機１の本体枠１１０と機枠１１２の開放を検知することができる。
【００２４】
次に、図４を参照して、第３監視場所の監視タグ８６３、監視アンテナ６８３について説明する。図４に示すように、前面枠１１１の内側の上部左（前面枠１１１を閉じた状態でのパチンコ機１の正面視右側）には監視タグ８６３が貼り付けられている。そして、本体枠１１０の上枠の表面（前面枠１１１と向き合う面）の図４における左側（前面枠１１１と本体枠１１０とが閉じられた際に監視タグ８６３と向き合う位置）には、枠用Ｒ／Ｗユニット３０２の監視アンテナ６８３が備えられている。したがって、パチンコ機１の前面枠１１１が本体枠１１０から開放された際には、監視タグ８６３は監視アンテナ６８３と通信不能となるので、枠用Ｒ／Ｗユニット３０２において、パチンコ機１の前面枠１１１と本体枠１１０との開放を検知することができる。
【００２５】
次に、図６を参照して、第４監視場所の監視タグ８６４及び監視アンテナ６８４について説明する。図６は、開閉扉１６ａが開放されている状態のアタッカ部材１６０の斜視図である。大入賞口１６は、所定条件の成立により、アタッカ部材１６０の開閉扉１６ａを開閉する可変入賞装置の一種である。図６に示すように、アタッカ部材１６０の開閉扉１６ａの表面には監視タグ８６４が貼り付けられ、さらに監視タグ８６４を覆うように装飾シール等が貼付されて遊技者からは見えないようになっている。また、アタッカ部材１６０の開口部１６ｂである大入賞口１６の周囲には、監視タグ８６４を囲むようにループ形状の監視アンテナ６８４が設けられ、監視アンテナ６８４は同軸ケーブルにより大入賞口用Ｒ／Ｗユニット３０３に接続されている。
【００２６】
この監視タグ８６４は、送受信方向に指向性があり、監視アンテナ６８４と平行に位置した場合のみ送受信可能である。大入賞口１６の閉鎖状態では、開閉扉１６ａが大入賞口１６の開口部１６ｂを塞いでおり、監視タグ８６４と監視アンテナ６８４は、ほぼ同一平面上に位置しているので送受信可能である。一方、図６に示すように開閉扉１６ａが開くと、監視タグ８６４と監視アンテナ６８４とは平行でなくなり、通信可能な臨界角度を超えるので、監視タグ８６４は大入賞口用Ｒ／Ｗユニット３０３と通信不能となり、大入賞口用Ｒ／Ｗユニット３０３は開閉扉１６ａの開放を検地することができる。
【００２７】
尚、監視タグ８６１〜８６４は、それぞれ同様の構造をしており、薄いフレキシブルプリント基板上にアンテナ及びＩＣチップが設けられている。ＩＣチップにはＲ／Ｗユニットからの呼出波に応答して反射波を放出するＲＦ回路とＥＥＰＲＯＭが一体となって構成されており、ＲＦ回路はアンテナを接続している。そして、ＥＥＰＲＯＭには、他のＩＣタグから識別するための識別情報であるＩＤコードが上書消去禁止区域に記憶されている。この監視タグ８６１〜８６４は、Ｒ／Ｗユニット３０１，３０２，３０３から監視アンテナ６８１〜６８４を介して呼出波が送られてくると、アンテナがこれを受信する。この呼出波には搬送波成分が含まれており、これを受信してＲＦ回路で整流して直流電圧を得る。したがって、監視タグ８６１〜８６４は、電池や外部電源を使用せずに必要な時にいつでもデータを発信することができる。また、データの発信は、ＥＥＰＲＯＭからＩＤコードを読み出して反射波に乗せ、ＲＦ回路がアンテナから送信する。
【００２８】
また、本実施形態で使用する監視タグ８６１〜８６４と監視アンテナ６８１〜６８４は、１３．５６ＭＨｚの短波帯で通信を行っている。この周波数での通信はノイズによる影響を比較的受けにくいため、パチンコ機１の設置環境に適している。例えば、主基板ボックス８１の監視アンテナ６８１と監視タグ８６１との距離は、上蓋部と下蓋部を組み付けた状態で約３ｍｍになるように配置されている。この距離間ではＲＦ送受信が可能であり監視アンテナ６８１を介したＲ／Ｗユニット３０３からの呼び出しに監視タグ８６１が応答することができ、監視アンテナ６８１と監視タグ８６１との距離が約５ｍｍを超えると通信不能となる。尚、この通信可能距離は、監視アンテナ６８１のコイルの巻き数やリアクタンス値により調節が可能である。このように通信可能距離を設定することにより、上蓋部のわずかな隙間の開放であっても検知することができ、また、振動等によるわずかな揺れでは通信不能とならないように調整されている。また、上述したように、この周波数帯での通信はノイズによる影響を比較的受けにくいが、他の電磁波を使用する部材からのノイズの影響による誤動作を少しでも防ぐために、監視タグ８６１〜８６４や監視アンテナ６８１〜６８４は、ソレノイドを使用している払出装置や発射基板の発射モータから離した位置に配置している。アタッカ部材１６０の開閉扉１６ａの動作を制御する大入賞口開放ソレノイド７０は、監視タグ８６４及び監視アンテナ６８４からら離したアタッカ部材１６０の左奥に配置されている。
【００２９】
３．Ｒ／Ｗユニットの動作の説明
次に、図７乃至図１０のフローチャートを参照して、Ｒ／Ｗユニットの動作について説明する。図７は、主基板ボックス用Ｒ／Ｗユニット３０１で行われるメイン処理の本発明に関する主な処理を示すフローチャートであり、図８は、枠用Ｒ／Ｗユニット３０２で行われるメイン処理の本発明に関する主な処理を示すフローチャートであり、図９は、大入賞口用Ｒ／Ｗユニット３０３で行われるメイン処理の本発明に関する主な処理を示すフローチャートであり、図１０は、各メイン処理の中で実施される監視処理のフローチャートである。
【００３０】
まず、図７のフローチャートを参照して、基板ボックス用Ｒ／Ｗユニット３０１で行われるメイン処理について説明する。このメイン処理は、基板ボックス用Ｒ／Ｗユニット３０１に電源が供給されると、ＣＰＵ３２において実行され、パチンコ機１からの信号受信、監視処理が繰り返し実施される。第１監視場所である主基板ボックス８１への不正は、パチンコ機１が稼働していない営業時間外（夜間）に行われることが多く、パチンコ機１が稼働している営業時間中に主基板４１が不正なＲＯＭをもつ基板とすりかえられてしまうことはほとんどない。そこで、営業時間外の監視を頻繁に行う必要があり、営業時間内の監視は夜間ほど頻繁に行う必要はない。
【００３１】
そこで、本実施の形態では、営業時間外は１分ごとに監視を行い、営業時間中は５分ごとに監視を行うこととする。尚、本実施の形態では、この監視間隔時間を計測するためにタイマカウンタを利用する。このタイマカウンタは、メイン処理とは別プログラムにより、ＲＴＣ３９からの信号に基づいて、所定時間（例えば、１ミリ秒）ごとに加算される。また、ＥＥＰＲＯＭ３５には、監視間隔時間を記憶する記憶エリアが設けられている。尚、営業が開始される際には、ホールコンピュータ３００から「営業開始信号」が送信され、営業が終了する際には「営業終了信号」が送信される。
【００３２】
図７に示すように、まず、各エラーフラグやタイマカウンタに初期値の「０」がセットされる等の初期処理が行われる（Ｓ１）。このエラーフラグは、各パチンコ機１ごとに応答エラーフラグ及びＩＤエラーフラグが設けられており、「０」が記憶され「ＯＦＦ」とされている場合には監視タグ８６１との通信が正常に行われており、「１」が記憶され「ＯＮ」とされている場合には監視タグ８６１との通信が正常に行われていないこと、つまり異常が発生していることを示している。尚、応答エラーは監視アンテナ６８１から送信された呼出波に対して、監視タグ８６１が反射波を返信してこなかった場合を示し、ＩＤエラーは反射波に含まれているＩＤコードが予め登録されているものと異なっている場合を示している。
【００３３】
次いで、ホールコンピュータ３００から「営業開始信号」を受信したか否かの判断が行われる（Ｓ２）。「営業開始信号」を受信していれば（Ｓ２：ＹＥＳ）、遊技場の営業が開始され、パチンコ機１の稼働が開始するので、主基板ボックス８１の監視間隔時間を疎に変更される（Ｓ３）。具体的には、本実施の形態ではＥＥＰＲＯＭ３５の監視間隔時間記憶エリアに３００秒がセットされる。そして、Ｓ２へ戻る。
【００３４】
また、「営業開始信号」を受信していなければ（Ｓ２：ＮＯ）、「営業終了信号」を受信下か否かの判断が行われる（Ｓ４）。「営業終了信号」を受信していれば（Ｓ４：ＹＥＳ）、遊技場の営業が終了し、パチンコ機１の稼働が停止されるので、主基板ボックス８１の監視間隔時間が密に変更される（Ｓ５）。具体的には、本実施の形態ではＥＥＰＲＯＭ３５の監視間隔時間記憶エリアに６０秒がセットされる。そして、Ｓ２へ戻る。
【００３５】
また、「営業開始信号」も「営業終了信号」も受信していない場合には（Ｓ２：ＮＯ，Ｓ４：ＮＯ）、監視間隔時間を経過したか否かの判断が行われ（Ｓ６）、タイマカウンタの値が監視間隔時間記憶エリアに記憶されている値を超えている場合には、監視間隔時間が経過したと判断され（Ｓ６：ＹＥＳ）、監視処理が行われる（Ｓ７）。そして、タイマカウンタの値が「０」にクリアされる（Ｓ８）。尚、監視処理については、図１０を参照して後述する。そして、Ｓ２へ戻る。
【００３６】
また、タイマカウンタの値が監視間隔時間記憶エリアに記憶されている値を超えておらず、監視間隔時間が経過していない場合には（Ｓ６：ＮＯ）、監視は行わないので、何もせずにＳ２へ戻る。
【００３７】
このようにして、営業時間内外で監視間隔時間を変更しつつ、主基板ボックス８１の開閉の監視が繰り返し実施される。
【００３８】
次に、図８のフローチャートを参照して、枠用Ｒ／Ｗユニット３０２で行われるメイン処理について説明する。このメイン処理は、枠用Ｒ／Ｗユニット３０２に電源が供給されると、ＣＰＵ３２において実行され、パチンコ機１からの信号受信、監視処理が繰り返し実施される。遊技場の営業時間中には、第３監視場所である前面枠１１１を微かに開放させ、前面枠１１１と本体枠１１０との間から針金や薄いプラスチック樹脂の板のようなものを挿入して、入賞口を開放させたり、遊技球を入賞口へ導いたり、遊技媒体の流下経路を左右する釘を調整したりする不正が行われる可能性がある。また、営業時間中でなくても、営業時間外に前面枠１１１を開放し、入賞口になんらかの細工を仕掛けたり、釘の調整をしたりする不正が行われる可能性がある。また、営業時間外には、第２監視場所である機枠１１２が開放され、不正なＲＯＭをもつ基板を設置されたり、不正なＲＯＭを持つ基板と交換されたりする可能性がある。そこで、第２監視場所である本体枠１１０と機枠１１２，第３監視場所である前面枠１１１と本体枠１１０においては、不正な遊技球の払出に直結するため、営業時間中に頻繁に監視を行う必要がある。しかしながら、営業時間外においては、不正行為の発生が遊技場への損害に直結するわけではないので、頻繁に監視を行う必要はない。
【００３９】
そこで、本実施の形態では、営業時間外は１分ごとに監視を行い、営業時間中は２秒ごとに監視を行うこととする。尚、本メイン処理でも監視間隔時間を計測するためにタイマカウンタを利用する。主基板ボックス用Ｒ／Ｗユニット３０１と同様に、このタイマカウンタは、メイン処理とは別プログラムによりＲＴＣ３９からの信号に基づいて、所定時間（例えば、１ミリ秒）ごとに加算される。また、同様にＥＥＰＲＯＭ３５には、監視間隔時間を記憶する記憶エリアが設けられている。尚、営業が開始される際にも同様に、ホールコンピュータ３００から「営業開始信号」が送信され、営業が終了する際には「営業終了信号」が送信される。
【００４０】
図８に示すように、まず、各エラーフラグやタイマカウンタに初期値の「０」がセットされる等の初期処理が行われる（Ｓ１１）。このエラーフラグは、各パチンコ機１ごとに応答エラーフラグ及びＩＤエラーフラグが設けられており、「０」が記憶され「ＯＦＦ」とされている場合には各監視タグ８６２，８６３との通信が正常に行われており、「１」が記憶され「ＯＮ」とされている場合には各監視タグ８６２，８６３との通信が正常に行われていないこと、つまり異常が発生していることを示している。尚、応答エラーは監視アンテナ６８２，６８３から送信された呼出波に対して、監視タグ８６２，８６３が反射波を返信してこなかった場合を示し、ＩＤエラーは反射波に含まれているＩＤコードが予め登録されているものと異なっている場合を示している。
【００４１】
次いで、ホールコンピュータ３００から「営業開始信号」を受信したか否かの判断が行われる（Ｓ１２）。「営業開始信号」を受信していれば（Ｓ１２：ＹＥＳ）、遊技場の営業が開始され、パチンコ機１の稼働が開始するので、本体枠１１０と機枠１１２，前面枠１１１と本体枠１１０の監視間隔時間が密に変更される（Ｓ１３）。具体的には、本実施の形態ではＥＥＰＲＯＭ３５の監視間隔時間記憶エリアに２秒がセットされる。そして、Ｓ１２へ戻る。
【００４２】
また、「営業開始信号」を受信していなければ（Ｓ１２：ＮＯ）、「営業終了信号」を受信下か否かの判断が行われる（Ｓ１４）。「営業終了信号」を受信していれば（Ｓ１４：ＹＥＳ）、遊技場の営業が終了し、パチンコ機１の稼働が停止されるので、本体枠１１０と機枠１１２，前面枠１１１と本体枠１１０の監視間隔時間が疎に変更される（Ｓ１５）。具体的には、本実施の形態ではＥＥＰＲＯＭ３５の監視間隔時間記憶エリアに６０秒がセットされる。そして、Ｓ１２へ戻る。
【００４３】
また、「営業開始信号」も「営業終了信号」も受信していない場合には（Ｓ１２：ＮＯ，Ｓ１４：ＮＯ）、監視間隔時間を経過したか否かの判断が行われ（Ｓ１６）、タイマカウンタの値が監視間隔時間記憶エリアに記憶されている値を超えている場合には、監視間隔時間が経過したと判断され（Ｓ１６：ＹＥＳ）、監視アンテナ６８２，６８３により、第２監視場所及び第３監視場所の監視処理が行われる（Ｓ１７）。そして、タイマカウンタの値が「０」にクリアされる（Ｓ１８）。尚、監視処理については、図１０を参照して後述する。そして、Ｓ１２へ戻る。
【００４４】
また、タイマカウンタの値が監視間隔時間記憶エリアに記憶されている値を超えておらず、監視間隔時間が経過していない場合には（Ｓ１６：ＮＯ）、監視は行わないので、何もせずにＳ１２へ戻る。
【００４５】
このようにして、営業時間内外で監視間隔時間を変更しつつ、本体枠１１０と機枠１１２，前面枠１１１と本体枠１１０の開閉の監視が繰り返し実施される。
【００４６】
次に、図９のフローチャートを参照して、大入賞口用Ｒ／Ｗユニット３０３で行われるメイン処理について説明する。このメイン処理は、大入賞口用Ｒ／Ｗユニット３０３に電源が供給されると、ＣＰＵ３２において実行され、パチンコ機１からの信号受信、監視処理が繰り返し実施される。第４監視場所である大入賞口１６では、パチンコ機１が稼働している営業時間中に、遊技球を入賞させるために、アタッカ部材１６０の開閉扉１６ａを開放させる不正が行われる。パチンコ機１の稼働していない営業時間外には開閉扉１６ａを開放させても意味がないため、不正は行われない。
【００４７】
そこで、本実施の形態では、営業時間中は１秒ごとに監視を行い、営業時間外は漢詩を行わないようにする。尚、Ｒ／Ｗユニット３０１，３０２と同様、監視間隔時間を計測するためにタイマカウンタを利用し、メイン処理とは別プログラムにより、ＲＴＣ３９からの信号に基づいて、所定時間（例えば、１ミリ秒）ごとに加算される。また、ＥＥＰＲＯＭ３５には、監視間隔時間を記憶する記憶エリアが設けられ、本実施の形態では１秒が記憶されている。尚、営業が開始される際には、ホールコンピュータ３００から「営業開始信号」が送信され、営業が終了する際には「営業終了信号」が送信される。
【００４８】
図９に示すように、まず、各フラグやタイマカウンタに初期値の「０」がセットされる等の初期処理が行われる（Ｓ２１）。各パチンコ機１ごとに応答エラーフラグ及びＩＤエラーフラグが設けられており、「０」が記憶され「ＯＦＦ」とされている場合には監視タグ８６４との通信が正常に行われており、「１」が記憶され「ＯＮ」とされている場合には監視タグ８６４との通信が正常に行われていないこと、つまり異常が発生していることを示している。尚、応答エラーは監視アンテナ６８４から送信された呼出波に対して、監視タグ８６４が反射波を返信してこなかった場合を示し、ＩＤエラーは反射波に含まれているＩＤコードが予め登録されているものと異なっている場合を示している。また、大入賞口開放フラグが設けられている。この大入賞口開放フラグは、パチンコ機１から「大入賞口開放信号」を受信すると「１」が記憶され「ＯＮ」となり、「大入賞口閉鎖信号」を受信すると「０」が記憶されて「ＯＦＦ」となる。すなわち、パチンコ機１において大入賞口１６が開放されている場合には「ＯＮ」となっている。
【００４９】
次いで、「営業終了信号」を受信下か否かの判断が行われる（Ｓ２２）。「営業終了信号」を受信すれば（Ｓ２２：ＹＥＳ）、遊技場の営業が終了し、パチンコ機１の稼働が停止されるので、大入賞口１６の監視を行う必要がない。そこで、「営業開始信号」を受信するまでは（Ｓ２３：ＹＥＳ）、繰り返し「営業開始信号」の受信の確認が行われる（Ｓ２３：ＮＯ，Ｓ２３）。
【００５０】
そして、「営業開始信号」を受信したら（Ｓ２３：ＹＥＳ）、遊技場の営業が開始され、パチンコ機１の稼働が開始されるので、監視を行う必要がある。しかしながら、パチンコ機１の制御により大入賞口１６が開放されているときには、大入賞口１６の開閉扉１６ａが開放されていたとしても、それは不正な開放ではないので異常の発生ではない。そこで、パチンコ機１からの大入賞口１６の開放に関する信号受信を確認し、大入賞口開放フラグの設定が行われる（Ｓ２４〜Ｓ２７）。まず、「大入賞口開放信号」を受信したか否かの判断が行われ（Ｓ２４）、受信していたら（Ｓ２４：ＹＥＳ）、大入賞口開放フラグが「ＯＮ」とされて（Ｓ２５）、Ｓ２２へ戻る。また、「大入賞口開放信号」を受信しておらず（Ｓ２４：ＮＯ）、「大入賞口閉鎖信号」を受信したら（Ｓ２６：ＹＥＳ）、大入賞口開放フラグが「ＯＦＦ」とされて（Ｓ２７）、Ｓ２２へ戻る。
【００５１】
また、「大入賞口閉鎖信号」も受信していなければ（Ｓ２６：ＮＯ）、大入賞口開放フラグが「ＯＮ」であるか否かにより大入賞口１６が開放中であるか否かの判断が行われる（Ｓ２８）。大入賞口１６が開放中であれば（Ｓ２８：ＹＥＳ）、監視を行わないので、何もせずにそのままＳ２２へ戻る。
【００５２】
次いで、タイマカウンタの値が監視間隔時間記憶エリアに記憶されている値を超えているか否かにより、監視間隔時間を経過したか否かの判断が行われ（Ｓ２９）、タイマカウンタの値が監視間隔時間記憶エリアに記憶されている値を超えておらず、監視間隔時間が経過していない場合には（Ｓ２９：ＮＯ）、監視は行わないので、何もせずにＳ２２へ戻る。また、監視間隔時間が経過している場合には（Ｓ２９：ＹＥＳ）、監視処理が行われる（Ｓ３０）。そして、タイマカウンタの値が「０」にクリアされる（Ｓ３１）。尚、監視処理については、図１０を参照して後述する。そして、Ｓ２２へ戻る。Ｓ２２において、「営業終了信号」を受信しなければ（Ｓ２２：ＮＯ）、Ｓ２４〜Ｓ３１の処理が行われ、「営業終了信号」を受信するまで（Ｓ２３：ＹＥＳ）、繰り返しＳ２４〜Ｓ３１の処理が行われる。
【００５３】
つまり、営業時間中には、パチンコ機１において大入賞口１６が開放されたら、パチンコ機１から「大入賞口開放信号」が送信される。そこで、Ｒ／Ｗユニット３０３では、「大入賞口開放信号」を受信したら（Ｓ２４：ＹＥＳ）、大入賞口開放フラグが「ＯＮ」とされ（Ｓ２５，Ｓ２８：ＹＥＳ）、監視は行われない。そして、パチンコ機１において大入賞口１６が閉鎖されたら、パチンコ機１から「大入賞口閉鎖信号」が送信される。そこで、Ｒ／Ｗユニット３０３では、「大入賞口閉鎖信号」を受信したら（Ｓ２６：ＹＥＳ）、大入賞口開放フラグが「ＯＦＦ」とされるので（Ｓ２７，Ｓ２８：ＮＯ）、監視間隔時間を経過すれば（Ｓ２９：ＹＥＳ）、監視処理が行われる（Ｓ３０）。
【００５４】
また、遊技場の営業が終了すると、ホールコンピュータ３００からＲ／Ｗユニット３０３へ「営業終了信号」が送信され、営業を開始する際には「営業開始信号」が送信される。そこで、Ｒ／Ｗユニット３０３では、「営業終了信号」を受信したら（Ｓ２２：ＹＥＳ）、次に「営業開始信号」を受信して遊技場の営業が開始されるまでは、営業時間中に必要な処理であるＳ２４〜Ｓ３１を行う必要はない。そこで、繰り返し、「営業開始信号」を受信したか否かの判断が行われ（Ｓ２３：ＮＯ，Ｓ２３）、「営業開始信号」を受信したら（Ｓ２３：ＹＥＳ）、Ｓ２４へ進み、監視についての処理が行われる（Ｓ２４〜Ｓ３１）。
【００５５】
次に、図１０を参照して、各Ｒ／Ｗユニット３０１，３０２，３０３のメイン処理の中で実施される監視処理について説明する。ここでは、メイン処理で指定されている監視場所の各Ｒ／Ｗユニット３０１，３０２，３０３において、夫々のＲ／Ｗユニットに接続している全てのパチンコ機１について監視が行われる。例えば、主基板ボックス用Ｒ／Ｗユニット３０１では、自身に接続している６台のパチンコ機１の主基板ボックス８１に設置されている６つの監視タグ８６１と各々通信する６つの監視アンテナ６８１において、順次呼出波を送信して、監視タグ８６１との通信を行う。また、枠用Ｒ／Ｗユニット３０２では、自身に接続している６台のパチンコ機１の機枠１１２に設置されている６つの監視タグ８６２、前面枠１１１に設置されている６つの監視タグ８６３と各々通信する監視アンテナ６８２，６８３において、順次呼出波を送信して、監視タグ８６２，８６３との通信を行う。また、大入賞口用Ｒ／Ｗユニット３０３では、自身に接続している６台のパチンコ機１の大入賞口１６に設置されている６つの監視タグ８６４と各々通信する６つの監視アンテナ６８１において、順次呼出波を送信して、監視タグ８６４との通信を行う。
【００５６】
まず、呼出波を送信する監視アンテナを指定するための、アンテナカウンタ変数ｎに初期値の「０」がセットされる（Ｓ４０）。そして、アンテナカウンタ変数に「１」が加算される（Ｓ４１）。そして、アンテナカウンタ変数の値が全アンテナ数よりも大きいか否かにより、全ての監視アンテナの処理が終了したか否かの判断が行われ（Ｓ４２）。終了していれば（Ｓ４２：ＹＥＳ）、監視処理を終了し、メイン処理へ戻るが、終了していなければ（Ｓ４２：ＮＯ）、監視アンテナから呼出波が送信され監視タグと通信が行えるか否かにより監視動作が行われる（Ｓ４３〜Ｓ５７）。そして、Ｓ４１へ戻り、アンテナカウンタ変数に「１」が加算されて（Ｓ４１）、全ての監視アンテナの処理が終了していなければ（Ｓ４２：ＮＯ）、次の監視アンテナの処理が行われる（Ｓ４３〜Ｓ５７）。尚、全アンテナ数は、主基板用Ｒ／Ｗユニット３０１及び大入賞口用Ｒ／Ｗユニット３０３では「６」、枠用Ｒ／Ｗユニット３０２では「１２」となっている。
【００５７】
例えば、例えば、主基板ボックス用Ｒ／Ｗユニット３０１では、アンテナカウンタ変数ｎに初期値「０」がセットされ（Ｓ４０）、「１」が加算され「１」となったら（Ｓ４１）、「１」は全アンテナ数「６」よりも大きくないのでまだ処理は終了しておらず（Ｓ４２：ＮＯ）、１つ目の監視アンテナ６８１から呼出波が送信される（Ｓ４３）。そして、１つ目の監視アンテナ６８１が設置されているパチンコ機１の主基板ボックス８１に設置されている監視タグ８６１から反射波の返送があるか否かの判断が行われる（Ｓ４４）。
【００５８】
反射波の返送がない場合には（Ｓ４４：ＮＯ）、主基板ボックス８１は開けられている。しかし、応答エラーフラグが「ＯＮ」となっている場合には、既に監視タグ８６１からの応答がない状態（開けられた状態）を検知し、応答エラーとなっているので、応答エラーフラグが「ＯＮ」であるか否かにより、「応答エラー」中であるか否かの判断が行われる（Ｓ４５）。応答エラー中である場合（Ｓ４５：ＹＥＳ）、そのまま監視処理は終了されて、メイン処理へ戻る。応答エラー中でない場合（Ｓ４５：ＮＯ）には、当該監視場所の応答エラーフラグに「１」が記憶され「ＯＮ」とされる（Ｓ４６）。そして、応答エラーの発生を示す監視情報がＲＡＭ３４及びＥＥＰＲＯＭ３５に記憶され、さらに島管理端末１００及びホールコンピュータ３００へ監視情報が送信される記録処理が行われる（Ｓ４７）。そして、Ｓ４１へ戻る。
【００５９】
また、監視タグ８６１から反射波の返送がある場合には（Ｓ４４：ＹＥＳ）、監視タグ８６１と無線通信が成立している。そこで、反射波に含まれているＩＤコードが予め登録されているものと一致しているか否かの判断が行われる（Ｓ４８）。尚、各パチンコ機１に設置されている監視タグ８６１のＩＤコードは監視アンテナ６８１に対応してＥＥＰＲＯＭ３５に記憶されている。ＩＤコードが一致していない場合には（Ｓ４８：ＮＯ）、監視タグ８６１の取り付けられた部材がすり替えられていたり、監視タグ８６１がすり替えられていたりして、本来の監視タグでないＩＣタグと通信をしていることになる。しかし、ＩＤエラーフラグが「ＯＮ」となっている場合には、既に監視タグ８６１が取り付けられている部材や監視タグ８６１のすり替えは検知されて「ＩＤエラー」となっている。そこで、ＩＤエラーフラグが「ＯＮ」であるか否かにより、「ＩＤエラー」中であるか否かの判断が行われる（Ｓ４９）。
【００６０】
ＩＤエラー中である場合（Ｓ４９：ＹＥＳ）、そのまま処理は終了されて、メイン処理へ戻る。ＩＤエラー中でない場合には（Ｓ４９：ＮＯ）、当該監視場所のＩＤエラーフラグに「１」が記憶され「ＯＮ」とされる（Ｓ５０）。そして、ＩＤエラーの発生を示す監視情報がＲＡＭ３４及びＥＥＰＲＯＭ３５に記憶されて、さらに島管理端末１００及びホールコンピュータ３００へ監視情報が送信される記録処理が行われる（Ｓ５１）。そして、Ｓ４１へ戻る。
【００６１】
また、反射波に含まれているＩＤコードと予め登録されているＩＤコードとが一致している場合には（Ｓ４８：ＹＥＳ）、監視タグ８６１と正常に通信が行われており、監視タグ８６１も不正なものではないということ、すなわち、当該監視場所は正常であるということになる。そこで、応答エラー中又はＩＤエラー中であるかの確認が行われる。応答エラーフラグ又はＩＤエラーフラグが「ＯＮ」となっている場合には、異常発生中又は作業中という状態になっているので、異常の回復又は作業の終了についての処理を行う必要がある。
【００６２】
そこで、まず、応答エラーフラグが「ＯＮ」であるか否かにより、応答エラー中か否かの判断が行われる（Ｓ５２）。応答エラー中である場合には（Ｓ５２：ＹＥＳ）、当該監視場所の応答エラーフラグに「０」が記憶されて「ＯＦＦ」とされる（Ｓ５３）。そして、応答エラーの回復を示す監視情報がＲＡＭ３４及びＥＥＰＲＯＭ３５に記憶されて、さらに島管理端末１００及びホールコンピュータ３００へ監視情報が送信される記録処理が行われる（Ｓ５４）。そして、Ｓ４１へ戻る。
【００６３】
また、応答エラー中でない場合には（Ｓ５２：ＮＯ）、ＩＤエラーフラグが「ＯＮ」であるか否かにより、ＩＤエラー中であるか否かの判断が行われる（Ｓ５５）。ＩＤエラー中である場合には（Ｓ５５：ＹＥＳ）、当該監視場所のＩＤエラーフラグに「０」が記憶されて「ＯＦＦ」とされる（Ｓ５６）。そして、ＩＤエラーの回復を示す監視情報がＲＡＭ３４及びＥＥＰＲＯＭ３５に記憶されて、さらに島管理端末１００及びホールコンピュータ３００へ監視情報が送信される記録処理がおこなわれる（Ｓ５７）。そして、Ｓ４１へ戻る。尚、応答エラー中でもＩＤエラー中でもない場合には（Ｓ５２：ＮＯ，Ｓ５５：ＮＯ）、Ｓ４１へ戻る。
【００６４】
Ｓ４１へ戻ったら、アンテナカウンタ変数に「１」が加算されて「２」となる（Ｓ４１）。また、全アンテナ数「６」よりも大きくないので、２つ目の監視アンテナ６８１から呼出波が送信される（Ｓ４３）。そして、２つ目の監視アンテナ６８１が設置されているパチンコ機１の主基板ボックス８１に設置されている監視タグ８６１と通信が成立するか否かにより、２つ目の監視アンテナ６８１による主基板ボックス８１の監視が行われる（Ｓ４４〜Ｓ５７）。そして、Ｓ４１へ戻り、アンテナカウンタ変数に「１」が加算され
て「３」となる。そして、Ｓ４３〜Ｓ５７の処理が行われ、Ｓ４１へ戻る。このようにして、Ｓ４１〜Ｓ５７の処理が繰り返し実施されて、６つ目の監視アンテナ６８１の処理まで終了し、Ｓ４１へ戻り、アンテナカウンタ変数に「１」が加算され「７」となったら（Ｓ４１）、全アンテナ数「６」よりも大きいので、全ての監視アンテナ６８１の処理が終了したと判断され（Ｓ４２：ＹＥＳ）、監視処理は終了し、メイン処理へ戻る。
【００６５】
また、大入賞口用Ｒ／Ｗユニット３０３でも、同様にして、アンテナカウンタ変数の値が全アンテナ数「６」より大きくなるまで、１つ目の監視アンテナ６８４から順に６つ目の監視アンテナ６８４までの監視アンテナ６８４で大入賞口１６の監視処理が行われる。
【００６６】
また、枠用Ｒ／Ｗユニット３０２では、アンテナカウンタ変数の値が「１」〜「６」では、１つ目の監視アンテナ６８２から順に６つ目の監視アンテナ６８２までの監視アンテナ６８２で機枠１１２と本体枠１１０との監視が行われ、「７」〜「１２」では、１つ目の監視アンテナ６８３から順に６つ目の監視アンテナ６８３までの監視アンテナ６８３で前面枠１１１と本体枠１１０との監視が行われる。
【００６７】
以上のようにして、主基板ボックス用Ｒ／Ｗユニット３０１は複数のパチンコ機１の主基板ボックス８１の監視を行い、枠用Ｒ／Ｗユニット３０２は複数のパチンコ機１の機枠１１２と本体枠１１０、前面枠１１１と本体枠１１０との監視を行い、大入賞口用Ｒ／Ｗユニット３０３は複数のパチンコ機１の大入賞口１６の監視を行う。したがって、監視場所ごとにＲ／Ｗユニットを備えているので、監視場所に対する特性をＲ／Ｗユニットごとに備えればよい。例えば、大入賞口１６を監視する際には、パチンコ機１の大入賞口１６が開放中であるか否かの遊技状態をＲ／Ｗユニット側で把握する必要があるが、主基板ボックス４１を監視する際にはその必要はない。そこで、大入賞口用Ｒ／Ｗユニット３０３のみをパチンコ機１からの信号を受信できるようにすれば、他のＲ／Ｗユニット３０３はパチンコ機１との接続用の入力ポート３１を備える必要がない。すなわち、監視制御装置ごとに、監視される部材の特性に合わせた監視制御を行わせたり、監視される部材の特性に合わせた部品を備えたりすることができる。
【００６８】
また、例えば、大入賞口１６の監視の制御に変更があるような場合には、全てのＲ／Ｗユニットに対して変更のための処理を行う必要はなく、大入賞口用Ｒ／Ｗユニット３０３のみに処理を行えばよい。また、監視を行うパチンコ機１を増やす場合には、Ｒ／Ｗユニットの監視アンテナに空きがあれば、それを使用すればよいので、Ｒ／Ｗユニットを増設する必要がないため、コストを軽減できる。尚、監視処理のＳ４３の処理を実行するＣＰＵ３２が「呼出波送信手段」に相当し、Ｓ４４の処理を実行するＣＰＵ３２が「反射波受信手段」に相当する。
【００６９】
４．変形例の説明
尚、本発明の遊技機監視システムは、上記した実施の形態に限定されるものではなく、本発明の要旨を逸脱しない範囲内において種々変更を加え得ることは勿論である。以下に、本発明を適用する実施の形態の変形例について説明する。まず、本実施形態では所定の動作を行う装置として、遊技機の一種であるパチンコ機を例に挙げているが、所定の動作を行う装置は遊技機であるパチンコ機に限られず、パチコン機、パチスロ台等の各種の遊技機に適用可能である。
【００７０】
また、上記実施の形態では、被監視部材としてパチンコ機１の主基板ボックス８１、本体枠１１０と機枠１１２、前面枠１１１と本体枠１１０、大入賞口１６監視タグを設置したが、移動を監視される部材はこれに限らず、他の基板収納ボックスや、普通図柄始動ゲート等の入賞口に設置して、その開閉状態を監視してもよい。また、上記実施の形態では、本体枠１１０と機枠１１２、前面枠１１１と本体枠１１０を同じＲ／Ｗユニットで監視したが、別々のＲ／Ｗユニットで監視してもよい。また、同じＲ／Ｗユニットで監視しても、本体枠１１０と機枠１１２、前面枠１１１と本体枠１１０とで異なる監視間隔で監視を行うようにしてもよい。また、上記実施の形態では、１台のＲ／Ｗユニットで６台のパチンコ機１を監視しているが、監視対象とするパチンコ機１の台数はこれ以上であっても、これ以下であってもよい。
【産業上の利用可能性】
【００７１】
本発明の遊技機はパチンコ機１に限られず、パチコン機、パチスロ機等の各種の遊技機に適用可能である。
【図面の簡単な説明】
【００７２】
【図１】本実施の形態の遊技機監視システムの構成図である。
【図２】本実施の形態の遊技機監視システムを導入した遊技場の外観を示す説明図である。
【図３】Ｒ／Ｗユニット３０１，３０２，３０３の電気的構成及びパチンコ機１の監視タグ８６１〜８６４を示すブロック図である。
【図４】パチンコ機１の前面枠１１１及び本体枠１１０を開いた状態をパチンコ機１の前面から見た斜視図である。
【図５】パチンコ機１の背面図である。
【図６】開閉扉１６ａが開放されている状態のアタッカ部材１６０の斜視図である。
【図７】主基板ボックス用Ｒ／Ｗユニット３０１で行われるメイン処理の本発明に関する主な処理を示すフローチャートである。
【図８】枠用Ｒ／Ｗユニット３０２で行われるメイン処理の本発明に関する主な処理を示すフローチャートである。
【図９】大入賞口用Ｒ／Ｗユニット３０３で行われるメイン処理の本発明に関する主な処理を示すフローチャートである。
【図１０】各メイン処理の中で実施される監視処理のフローチャートである。
【符号の説明】
【００７３】
１  パチンコ機
１６  大入賞口
３２  ＣＰＵ
３４  ＲＡＭ
３５  ＥＥＰＲＯＭ
３９  ＲＴＣ
８１  主基板ボックス
１００  島管理端末
１１０  本体枠
１１１  前面枠
１１２  機枠
１５０  店内ネットワーク
２００  遊技機設置島
３００  ホールコンピュータ
３０１  主基板ボックス用Ｒ／Ｗユニット
３０２  枠用Ｒ／Ｗユニット
３０３  大入賞口用Ｒ／Ｗユニット
６８１  監視アンテナ
６８２  監視アンテナ
６８３  監視アンテナ
６８４  監視アンテナ
８６１  監視タグ
８６２  監視タグ
８６３  監視タグ
８６４  監視タグ
【図１】
2006122414.tif 000003
【図２】
2006122414.tif 000004
【図３】
2006122414.tif 000005
【図４】
2006122414.tif 000006
【図５】
2006122414.tif 000007
【図６】
2006122414.tif 000008
【図７】
2006122414.tif 000009
【図８】
2006122414.tif 000010
【図９】
2006122414.tif 000011
【図１０】
2006122414.tif 000012